(57)【要約】【課題】本発明は、ｍｉｐｉのＣ−ＰＨＹ規格のＬｏｗＰｏｗｅｒモード時の不要なスパイク電圧を小さくすることができるコモンモードノイズフィルタを提供することを目的とする。【解決手段】本発明のコモンモードノイズフィルタは、第１〜第５の絶縁体層１１ａ〜１１ｅと、前記第１〜第５の絶縁体層１１ａ〜１１ｅを積層することによって設けられた積層体１２と、前記第１〜第５の絶縁体層１１ａ〜１１ｅに設けられた互いに独立する渦巻状の第１のコイル１３、第２のコイル１４、第３のコイル１５とを備え、前記第１のコイル１３、前記第２のコイル１４、前記第３のコイル１５は積層方向Ｘと直交する第１の方向Ｙに沿って順に配置され、前記第１のコイル１３、前記第２のコイル１４、前記第３のコイル１５は積層方向Ｘから見て互いに重なっていない。【選択図】図１
2020136578.tif 000002
【特許請求の範囲】
【請求項１】
複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルは積層方向と交差する第１の方向に沿って順に配置され、前記第１のコイル、前記第２のコイル、前記第３のコイルは積層方向から見て互いに重なっていないコモンモードノイズフィルタ。
【請求項２】
前記第１のコイル、前記第２のコイル、前記第３のコイルは積層方向と直交する第１の方向に沿って順に配置されている請求項１に記載のコモンモードノイズフィルタ。
【請求項３】
前記第１の方向における中央部に位置する前記第２のコイルの巻き方向が、他の２つの前記第１、第３のコイルの巻き方向と逆方向となっている請求項１に記載のコモンモードノイズフィルタ。
【請求項４】
前記第１の方向における中央部に位置する前記第２のコイルおよび前記第１のコイルの巻き方向が、前記第３のコイルの巻き方向と逆方向となっている請求項１に記載のコモンモードノイズフィルタ。
【請求項５】
前記積層体の内部に、前記第１のコイルと前記第２のコイルとの間、前記第２のコイルと前記第３のコイルとの間、前記第３のコイルと前記第１のコイルとの間のうち少なくとも１つに接続されるコンデンサ部が備えられている請求項１に記載のコモンモードノイズフィルタ。
【請求項６】
前記積層体の内部に、前記第１のコイルと前記第２のコイルとの間、前記第２のコイルと前記第３のコイルとの間、前記第３のコイルと前記第１のコイルとの間それぞれに接続されるコンデンサ部が備えられている請求項１に記載のコモンモードノイズフィルタ。
【請求項７】
複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルが、前記第１の方向に沿った面から見て、三角形の頂点に位置するコモンモードノイズフィルタ。
【請求項８】
複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルは積層方向から見て互いに対向するように順に配置され、前記第１のコイルと前記第２のコイルとの間、前記第２のコイルと前記第３のコイルとの間のうち少なくとも１つに金属層が配置されているコモンモードノイズフィルタ。
【請求項９】
複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルは積層方向から見て互いに対向するように順に配置され、前記第１のコイルと前記第２のコイルとの間、前記第２のコイルと前記第３のコイルとの間それぞれに金属層が配置されているコモンモードノイズフィルタ。
【請求項１０】
前記第２のコイルと前記積層方向で隣接する前記金属層との間の距離が、前記第１のコイ
ルと前記積層方向で隣接する前記金属層との距離、または前記第３のコイルと前記積層方向で隣接する前記金属層との距離より大きい請求項８に記載のコモンモードノイズフィルタ。
【請求項１１】
前記第２のコイルと前記積層方向で隣接する前記金属層との間の距離が、前記第１のコイルと前記積層方向で隣接する前記金属層との距離より大きく、前記第３のコイルと前記積層方向で隣接する前記金属層との距離より大きい請求項８に記載のコモンモードノイズフィルタ。
【請求項１２】
前記金属層が積層方向から見て、前記第１のコイル、前記第２のコイル、前記第３のコイルの一部を覆っていない請求項８に記載のコモンモードノイズフィルタ。
【請求項１３】
複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルはそれぞれ異なる前記絶縁体層に設けられた複数のコイル導体で構成され、前記第１のコイル、前記第２のコイル、前記第３のコイルは積層方向と交差する第１の方向に沿って順に配置され、前記第１のコイル、前記第２のコイル、前記第３のコイルのうち少なくとも１つの前記コイルを構成する前記コイル導体は、積層方向から見て他の前記コイルを構成する前記コイル導体と重なっているコモンモードノイズフィルタ。
【発明の詳細な説明】
【技術分野】
【０００１】
本発明は、デジタル機器やＡＶ機器、情報通信端末等の各種電子機器に使用される小形で薄型のコモンモードノイズフィルタに関する。
【背景技術】
【０００２】
近年、カメラの解像度が飛躍的に高まり、更に高速な伝送方式として、３本の伝送ラインを用いて、送信側から各伝送ラインに異なる電圧を送り、受信側で各ライン間の差分をとることで差動出力をする方式がｍｉｐｉ（Ｍｏｂｉｌｅ  Ｉｎｄｕｓｔｒｙ  Ｐｒｏｃｅｓｓｏｒ  Ｉｎｔｅｒｆａｃｅ）のＣ−ＰＨＹ規格として制定され実用化されている。
【０００３】
上記の３本の伝送ラインに使用される従来のコモンモードノイズフィルタは、図９に示すように、複数の絶縁体層１と、３つの独立した第１〜第３のコイル２〜４を有し、第１〜第３のコイル２〜４はそれぞれ、コイル導体２ａ、２ｂ、コイル導体３ａ、３ｂ、コイル導体４ａ、４ｂ同士を電気的に接続することによって形成されていた。
【０００４】
また、第１のコイル２を構成するコイル導体２ａ、第２のコイル３を構成するコイル導体３ａ、第３のコイル４を構成するコイル導体４ａ、第１のコイル２を構成するコイル導体２ｂ、第２のコイル３を構成するコイル導体３ｂ、第３のコイル４を構成するコイル導体４ｂの順に積層していた。
【０００５】
このような構成において、コモンモードノイズが入力された場合には、第１〜第３のコイル２〜４で発生する磁束が互いに強め合い、インダクタンスとして動作することによってノイズを抑制していた。
【０００６】
なお、この出願の発明に関連する先行技術文献としては、例えば、特許文献１が知られている。
【先行技術文献】
【特許文献】
【０００７】
【特許文献１】特開２０１８−７３８５４号公報
【発明の概要】
【発明が解決しようとする課題】
【０００８】
上記ｍｉｐｉのＣ−ＰＨＹ規格におけるデータラインは、省電力化のため、高速なデータ送受信が不必要な場合にＬｏｗＰｏｗｅｒモードとなる。
【０００９】
このＬｏｗＰｏｗｅｒモード時では３本の信号線のうち２本が同じ動作をするが、この同じ動作をする２本の信号の電圧が変化すると、３線間に電磁気的な結合がある場合、隣接する残り１本の信号線に不要なスパイク電圧が励起される。
【００１０】
従来の２線式の差動方式をとるｍｉｐｉのＤ−ＰＨＹ規格のＬｏｗＰｏｗｅｒモードでは１線分の電圧変化が他方の１線に影響を及ぼすが、ｍｉｐｉのＣ−ＰＨＹ規格では２線分の電圧変化の影響が残り１線に影響するため、より大きな影響が生じ易くなり、不要なスパイク電圧が励起されることになる。
【００１１】
上記した従来のコモンモードノイズフィルタは、３本の信号線に接続される第１〜第３のコイル２〜４間の互いの磁気結合が強いため、励起される不要なスパイク電圧が大きく
なる傾向にあるという課題を有していた。
【００１２】
本発明は上記従来の課題を解決するもので、不要なスパイク電圧を抑制することができるコモンモードノイズフィルタを提供することを目的とするものである。
【課題を解決するための手段】
【００１３】
第１の態様に係るコモンモードノイズフィルタは、複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルは積層方向と交差する第１の方向に沿って順に配置され、前記第１のコイル、前記第２のコイル、前記第３のコイルは積層方向から見て互いに重なっていない。
【００１４】
第２の態様に係るコモンモードノイズフィルタでは、第１の態様において、前記第１のコイル、前記第２のコイル、前記第３のコイルは積層方向と直交する第１の方向に沿って順に配置されている。
【００１５】
第３の態様に係るコモンモードノイズフィルタでは、第１の態様において、前記第１の方向における中央部に位置する前記第２のコイルの巻き方向が、他の２つの前記第１、第３のコイルの巻き方向と逆方向となっている。
【００１６】
第４の態様に係るコモンモードノイズフィルタでは、第１の態様において、前記第１の方向における中央部に位置する前記第２のコイルおよび前記第１のコイルの巻き方向が、前記第３のコイルの巻き方向と逆方向となっている。
【００１７】
第５の態様に係るコモンモードノイズフィルタでは、第１の態様において、前記積層体の内部に、前記第１のコイルと前記第２のコイルとの間、前記第２のコイルと前記第３のコイルとの間、前記第３のコイルと前記第１のコイルとの間のうち少なくとも１つに接続されるコンデンサ部が備えられている。
【００１８】
第６の態様に係るコモンモードノイズフィルタでは、第１の態様において、前記積層体の内部に、前記第１のコイルと前記第２のコイルとの間、前記第２のコイルと前記第３のコイルとの間、前記第３のコイルと前記第１のコイルとの間それぞれに接続されるコンデンサ部が備えられている。
【００１９】
第７の態様に係るコモンモードノイズフィルタは、複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルが、前記第１の方向に沿った面から見て、三角形の頂点に位置する。
【００２０】
第８の態様に係るコモンモードノイズフィルタは、複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルは積層方向から見て互いに対向するように順に配置され、前記第１のコイルと前記第２のコイルとの間、前記第２のコイルと前記第３のコイルとの間のうち少なくとも１つに金属層が配置されている。
【００２１】
第９の態様に係るコモンモードノイズフィルタは、複数の絶縁体層と、前記複数の絶縁体層を積層することによって設けられた積層体と、前記複数の絶縁体層に設けられた互い
に独立するスパイラル状の第１のコイル、第２のコイル、第３のコイルとを備え、前記第１のコイル、前記第２のコイル、前記第３のコイルは積層方向から見て互いに対向するように順に配置され、前記第１のコイルと前記第２のコイルとの間、前記第２のコイルと前記第３のコイルとの間それぞれに金属層が配置されている。
【００２２】
第１０の態様に係るコモンモードノイズフィルタは、第８の態様において、前記第２のコイルと前記積層方向で隣接する前記金属層との間の距離が、前記第１のコイルと前記積層方向で隣接する前記金属層との距離、または前記第３のコイルと前記積層方向で隣接する前記金属層との距離より大きい。
【００２３】
第１１の態様に係るコモンモードノイズフィルタでは、第８の態様において、前記第２のコイルと前記積層方向で隣接する前記金属層との間の距離が、前記第１のコイルと前記積層方向で隣接する前記金属層との距離、前記第３のコイルと前記積層方向で隣接する前記金属層との距離より大きい。
【００２４】
第１２の態様に係るコモンモードノイズフィルタでは、第８の態様において、前記金属層が積層方向から見て、前記第１のコイル、前記第２のコイル、前記第３のコイルの一部を覆っていない。
【００２５】
第１３の態様に係るコモンモードノイズフィルタは、複数の絶縁体層と、前記複数の絶縁体層を積層することによって設けられた積層体と、前記複数の絶縁体層に設けられた互いに独立するスパイラル状の第１のコイル、第２のコイル、第３のコイルとを備え、前記第１のコイル、前記第２のコイル、前記第３のコイルはそれぞれ異なる前記絶縁体層に設けられた複数のコイル導体で構成され、前記第１のコイル、前記第２のコイル、前記第３のコイルは積層方向と交差する第１の方向に沿って順に配置され、前記第１のコイル、前記第２のコイル、前記第３のコイルのうち少なくとも１つの前記コイルを構成する前記コイル導体は、積層方向から見て他の前記コイルを構成する前記コイル導体と重なっている。
【発明の効果】
【００２６】
本発明のコモンモードノイズフィルタは、第１〜第３のコイルを積層方向で重ならないようにし、または、第１〜第３のコイル間を金属層で仕切っているため、第１〜第３のコイル間の磁気結合を弱めることができ、これにより、励起される不要なスパイク電圧を小さくすることができるという効果が得られる。
【図面の簡単な説明】
【００２７】
【図１】本開示の実施の形態１におけるコモンモードノイズフィルタの分解斜視図
【図２】同コモンモードノイズフィルタの斜視図
【図３】同コモンモードノイズフィルタの他の例を示す分解斜視図
【図４】同コモンモードノイズフィルタの他の例を示す断面図
【図５】同コモンモードノイズフィルタの他の例を示す分解斜視図
【図６】図５に示すコモンモードノイズフィルタの回路図
【図７】本開示の実施の形態２におけるコモンモードノイズフィルタの断面図
【図８】同コモンモードノイズフィルタの分解斜視図
【図９】従来のコモンモードノイズフィルタの分解斜視図
【発明を実施するための形態】
【００２８】
（実施の形態１）
図１は本開示の実施の形態１におけるコモンモードノイズフィルタの分解斜視図、図２は同コモンモードノイズフィルタの斜視図である。
【００２９】
本開示の実施の形態１におけるコモンモードノイズフィルタは、図１、図２に示すように、第１〜第５の絶縁体層１１ａ〜１１ｅと、第１〜第５の絶縁体層１１ａ〜１１ｅを積層方向Ｘに沿って上下方向に積層することによって設けられた積層体１２と、第２、第３の絶縁体層１１ｂ、１１ｃに設けられた互いに独立するスパイラル状の第１のコイル１３、第２のコイル１４、第３のコイル１５とを備えている。
【００３０】
また、第１のコイル１３、第２のコイル１４、第３のコイル１５は積層方向Ｘと交差する第１の方向Ｙに沿ってこの順番に配置されている。
【００３１】
上記構成において、前記第１、第５の絶縁体層１１ａ、１１ｅはＣｕ−Ｎｉ−Ｚｎフェライト等の磁性材料、またはＣｕ−Ｚｎフェライト、ガラスセラミック等の非磁性材料によりシート状に構成され、絶縁性を有している。
【００３２】
また、前記第２〜第４の絶縁体層１１ｂ〜１１ｂは、Ｃｕ−Ｚｎフェライト、ガラスセラミック等の非磁性材料によりシート状に構成され、絶縁性を有している。
【００３３】
なお、第１〜第５の絶縁体層１１ａ〜１１ｅを構成する層の枚数は、図１に示された枚数に限定されるものではない。
【００３４】
前記第１のコイル１３、第２のコイル１４、第３のコイル１５は、それぞれ２つの渦巻き状のコイル導体を電気的に接続して構成されている。
【００３５】
このうち、第１のコイル１３は第１のコイル導体１３ａと第２のコイル導体１３ｂとで構成されており、また、第２のコイル１４は第３のコイル導体１４ａと第４のコイル導体１４ｂとで構成されており、そして、第３のコイル１５は第５のコイル導体１５ａと第６のコイル導体１５ｂとで構成されている。
【００３６】
第１〜第６のコイル導体１３ａ、１３ｂ、１４ａ、１４ｂ、１５ａ、１５ｂは、長辺と短辺を連続させて渦巻き状に１ターン以上に形成したもので、その内形と外形の輪郭が概ね矩形状をしており、配線等に用いる部分を除いた主要部である渦巻き状部分の導体幅、導体間ピッチ、導体厚み寸法などの導体パターンが同じになるように形成されている。なお、渦巻き状ではなくらせん状としてもよい。
【００３７】
また、これら第１〜第６のコイル導体１３ａ、１３ｂ、１４ａ、１４ｂ、１５ａ、１５ｂは、それぞれ銀等の導電材料を渦巻状にめっきまたは印刷することにより形成されている。
【００３８】
なお、第１のコイル１３、第２のコイル１４、第３のコイル１５は、１つのコイル導体で構成してもよい。また、各コイルを構成する２つのコイル導体を同一平面上に配置してもよい。さらに、第１のコイル１３、第２のコイル１４、第３のコイル１５が、それぞれ２つの渦巻き状のコイル導体で構成されている場合、１つのコイルを構成するコイル導体が、他のコイルを構成するコイル導体と積層方向Ｘから見て少なくとも１部が重なるようにしてもよい。
【００３９】
さらに、第１のコイル１３を構成する第１のコイル導体１３ａ、第２のコイル１４を構成する第３のコイル導体１４ａ、第３のコイル１５を構成する第５のコイル導体１５ａは、第２の絶縁体層１１ｂの上面に設けられ、第１のコイル１３を構成する第２のコイル導体１３ｂ、第２のコイル１４を構成する第４のコイル導体１４ｂ、第３のコイル１５を構成する第６のコイル導体１５ｂは第３の絶縁体層１１ｃの上面に設けられている。
【００４０】
第１のコイル導体１３ａ、第３のコイル導体１４ａ、第５のコイル導体１５ａは、積層方向Ｘと交差（実質的に直交）する第１の方向Ｙに沿ってこの順番に配置され、第２のコイル導体１３ｂ、第４のコイル導体１４ｂ、第６のコイル導体１５ｂも、積層方向Ｘと直交する第１の方向Ｙに沿ってこの順番に配置されている。
【００４１】
第１のコイル導体１３ａと第２のコイル導体１３ｂとはビア電極１６ａを介して接続され、第１のコイル１３が構成される。第３のコイル導体１４ａと第４のコイル導体１４ｂとはビア電極１６ｂを介して接続され、第２のコイル１４が構成される。第５のコイル導体１５ａと第６のコイル導体１５ｂとはビア電極１６ｃを介して接続され、第３のコイル１５が構成される。なお、ビア電極１６ａ、１６ｂ、１６ｃは、第３の絶縁体層１１ｃを貫通して設けられている。
【００４２】
第１のコイル導体１３ａと第２のコイル導体１３ｂは主要部の渦巻き状部分が積層方向Ｘから見て対向し重なっている。第３のコイル導体１４ａと第４のコイル導体１４ｂは主要部の渦巻き状部分が積層方向Ｘから見て対向し重なっている。第５のコイル導体１５ａと第６のコイル導体１５ｂは主要部の渦巻き状部分が積層方向Ｘから見て対向し重なっている。
【００４３】
このような構成によって、３つの独立した第１のコイル１３、第２のコイル１４、第３のコイル１５が設けられ、第１のコイル１３と第２のコイル１４、第２のコイル１４と第３のコイル１５がそれぞれ弱く磁気結合する構成にしている。
【００４４】
そしてさらに、第１のコイル１３、第２のコイル１４、第３のコイル１５は積層方向Ｘから見て、少なくともその主要部である渦巻き状部分では互いに重なる部分は無い。
【００４５】
なお、第１のコイル１３、第２のコイル１４、第３のコイル１５が、それぞれ２つの渦巻き状のコイル導体で構成されている場合、１つのコイルを構成するコイル導体が、他のコイルを構成し、かつこの１つのコイルを構成するコイル導体が設けられている絶縁体層と異なる絶縁体層に設けられているコイル導体と積層方向Ｘから見て少なくとも１部が重なるようにしてもよい。
【００４６】
この場合も、１つの絶縁体層に設けられた第１のコイル１３、第２のコイル１４、第３のコイル１５は、積層方向Ｘから見て、少なくともその主要部である渦巻き状部分では互いに重なる部分は無い。
【００４７】
さらに、積層体１２の第１の方向Ｙに沿った両側面１２ａ、１２ｂには、第１〜第６の外部電極１７ａ〜１７ｆが設けられ、そして第１、第２、第３の外部電極１７ａ〜１７ｃはそれぞれ前記第１、第３、第５のコイル導体１３ａ、１４ａ、１５ａの一端部と電気的に接続され、第４、第５、第６の外部電極１７ｄ〜１７ｆはそれぞれ前記第２、第４、第６のコイル導体１３ｂ、１４ｂ、１５ｂの一端部と電気的に接続されている。
【００４８】
第１、第２、第３の外部電極１７ａ〜１７ｃは、積層体１２の第１の方向Ｙに沿った一側面１２ａに設けられ、第４、第５、第６の外部電極１７ｄ〜１７ｆは、他側面１２ｂに設けられている。
【００４９】
上記したように本実施の形態１におけるコモンモードノイズフィルタにおいては、第１のコイル１３、第２のコイル１４、第３のコイル１５を積層方向で互いに重ならないようにしているため、第１のコイル１３、第２のコイル１４、第３のコイル１５同士の磁気結合を弱めることができ、これにより、励起される不要なスパイク電圧を小さくすることが
できるという効果が得られる。
【００５０】
すなわち、ＬｏｗＰｏｗｅｒモード時では３本の信号線のうちの２本は、差動信号ではなく、同一波形となる電圧が印加されるため、この２本の信号の電圧が変化すると、磁気結合によって残り１本の信号線に大きい不要なスパイク電圧が励起されるが、本開示では、互いの磁気結合を弱くしているため、磁気結合によって励起される不要なスパイク電圧を小さくすることができる。
【００５１】
また、第１のコイル１３、第２のコイル１４、第３のコイル１５は互いに磁気結合させない（互いに磁束の影響を受けない）ようにするのではなく、互いに弱く磁気結合させている。
【００５２】
なお、図３に示すように、第１の方向Ｙにおける中央部に位置する第２のコイル１４の巻き方向が、他の２つの第１、第３のコイル１３、１５の巻き方向と逆方向となるようにしてもよい。
【００５３】
例えば図３では、積層方向Ｘの上方から見て、第２の絶縁体層１１ｂの上面の第１のコイル導体１３ａ（第１のコイル１３）、第５のコイル導体１５ａ（第３のコイル１５）は、巻き方向が時計回りであるのに対し、第３のコイル導体１４ａ（第２のコイル１４）は巻き方向が反時計回りである。
【００５４】
この構成では、コモンモードでの第１のコイル１３と第２のコイル１４との磁気結合、第２のコイル１４と第３のコイル１５との磁気結合が強くなるため、コモンモードインピーダンスが高くなる。
【００５５】
また、前記第２のコイル１４だけでなく第１のコイル１３の巻き方向も、第３のコイル１５の巻き方向と逆方向としてもよい。この場合でも、第２のコイル１４と第３のコイル１５との磁気結合を強くすることができる。
【００５６】
さらに、図４に示すように、第１のコイル１３、第２のコイル１４、第３のコイル１５が、第１の方向Ｙに沿った側面１２ａ、１２ｂから見た断面（積層方向Ｘおよび第１の方向Ｙと直交する方向から見た断面（第１〜第６の外部電極１７ａ〜１７ｆが設けられた箇所から見た方向における断面））で、正三角形の頂点に位置するようにしてもよい。
【００５７】
すなわち、三角形の形状が、正三角形に相似した形状（またはコイルの巻軸、コイルの中心部を結んだ線が正三角形に相似した形状）となっている。
【００５８】
このとき、第２のコイル１４を第１のコイル１３、第３のコイル１５より積層方向Ｘで上方または下方に配置する。また、それぞれの所定箇所同士が正三角形の頂点に位置する。例えば、ビア電極１６ａ、１６ｂ、１６ｃと接続する部分同士、渦巻きの外から１ターン目の部分同士が、正三角形の頂点に存在する。
【００５９】
なお、この場合は、第１のコイル１３と第２のコイル１４、第２のコイル１４と第３のコイル１５とが積層方向Ｘから見て、その一部が重なっていてもよい。ただし、この重なりは、磁気結合が強くなりすぎないように各コイルが占める全体の面積の半分以下とする。
【００６０】
このような構成により、第１のコイル１３と第３のコイル１５との距離、第１のコイル１３と第２のコイル１４との距離、第２のコイル１４と第３のコイル１５との距離が略等しくなり、これにより、第１のコイル１３と第３のコイル１５の磁気結合と、第１のコイ
ル１３と第２のコイル１４の磁気結合と、第２のコイル１４と第３のコイル１５の磁気結合とのバランスがよくなるため、３線の信号伝達レベルのバランスが同じになる。
【００６１】
そしてさらに、図５に示すように、積層体１２の内部に、第１のコイル１３と第２のコイル１４との間、第２のコイル１４と第３のコイル１５との間、第３のコイル１５と第１のコイル１３との間それぞれと接続するコンデンサ部を備えてもよい。
【００６２】
図５において、第１の絶縁体層１１ａと第２の絶縁体層１１ｂとの間に、第１、第２のコンデンサ用絶縁体層１１ｆ、１１ｇが積層されており、第１コンデンサ用絶縁体層１１ｆには２つの第１コンデンサ電極１８、２つの第２コンデンサ電極１９、２つの第３コンデンサ電極２０が形成され、第２コンデンサ用絶縁体層１１ｇにも２つの第１コンデンサ電極１８、２つの第２コンデンサ電極１９、２つの第３コンデンサ電極２０が形成されている。
【００６３】
このとき、第１コンデンサ用絶縁体層１１ｆに形成された第１コンデンサ電極１８と、第２コンデンサ用絶縁体層１１ｇに形成された第１コンデンサ電極１８とは積層方向Ｘで対向する。
【００６４】
同様に、第１コンデンサ用絶縁体層１１ｆに形成された第２コンデンサ電極１９と、第２コンデンサ用絶縁体層１１ｇに形成された第２コンデンサ電極１９とは積層方向Ｘで対向し、第１コンデンサ用絶縁体層１１ｆに形成された第３コンデンサ電極２０と、第２コンデンサ用絶縁体層１１ｇに形成された第３コンデンサ電極２０とは積層方向Ｘで対向する。
【００６５】
そして、対向する第１コンデンサ電極１８同士で、第１のコイル１３と第２のコイル１４との間に接続される第１コンデンサ部Ｃ１が形成され、対向する第２コンデンサ電極１９同士で、第２のコイル１４と第３のコイル１５との間に接続される第２コンデンサ部Ｃ２が形成され、対向する第３コンデンサ電極２０同士で、第３のコイル１５と第１のコイル１３との間に接続される第３コンデンサ部Ｃ３が形成される。
【００６６】
この構成により、図６の示すような回路となり、複数のコンデンサ部によって２つのコイル間の差動出力信号の特性インピーダンスを下げることができる。
【００６７】
なお、図５、図６では、第１〜第３のコイル１３〜１５の入力側（第１、第２、第３の外部電極１７ａ〜１７ｃ側）と、出力側（第４、第５、第６の外部電極１７ｄ〜１７ｆ側）の両方に、第１〜第３コンデンサ部Ｃ１、Ｃ２、Ｃ３を設けたが、入力側と出力側のいずれか一方だけに設けてもよい。また、第１〜第３コンデンサ部Ｃ１、Ｃ２、Ｃ３のうち、１つまたは２つが無くてもよい。
【００６８】
（実施の形態２）
図７は本開示の実施の形態２におけるコモンモードノイズフィルタの第１の方向Ｙに沿った側面から見た断面図、図８は同コモンモードノイズフィルタの分解斜視図である。なお、この本実施の形態２においては、上記した実施の形態１と同様の構成を有するものについては、同一符号を付しており、その説明は省略する。
【００６９】
本開示の実施の形態２が上記した実施の形態１と相違する点は、図７、図８に示すように、第１のコイル１３、第２のコイル１４、第３のコイル１５を積層方向Ｘから見て互いに対向するように下からこの順番に配置され、さらに、第１のコイル１３と第２のコイル１４との間、第２のコイル１４と第３のコイル１５との間それぞれに金属層２１が配置されている点である。
【００７０】
このとき、金属層２１は銀等の金属を印刷、めっきする等して形成する。金属層２１は第１のコイル１３、第２のコイル１４、第３のコイル１５の少なくともその主要部である渦巻き状部分と積層方向Ｘで重なっている。なお、金属層２１はグランドに接続される。
【００７１】
また、第２の絶縁体層１１ｂの上面には第１のコイル１３、第３の絶縁体層１１ｃの上面には第２のコイル１４、第４の絶縁体層１１ｄの上面には第３のコイル１５がそれぞれ設けられている。金属層２１は他の絶縁体層１１ｈの上面に設けられ、そして、第１の絶縁体層１１ａには第１のコイル１３、第２のコイル１４、第３のコイル１５のそれぞれの引出部１３ｄ、１４ｄ、１５ｄが設けられている。
【００７２】
第１のコイル１３とその引出部１３ｄとはビア電極１６ａで接続され、第２のコイル１４とその引出部１４ｄとはビア電極１６ｂで接続され、第３のコイル１５とその引出部１５ｄとはビア電極１６ｃで接続される。積層方向Ｘで金属層２１はビア電極１６ａ〜１６ｃが配置された箇所には形成されない。
【００７３】
この構成によれば、第１〜第３のコイル１３〜１５間の磁気結合を金属層２１によって弱めることができるため、励起される不要なスパイク電圧を小さくすることができる。
【００７４】
また、金属層２１の面積や金属層２１と第１〜第３のコイル１３〜１５との間の距離を調節することによって、第１〜第３のコイル１３〜１５間の磁気結合を調整できる。
【００７５】
さらに、金属層２１と第１〜第３のコイル１３〜１５との間で発生する浮遊容量によって、２つのコイル間の差動出力信号の特性インピーダンスが高くなるのを抑制できる。
【００７６】
ここで、第２のコイル１４と積層方向Ｘで隣接する金属層２１との間の距離Ｄが、第１のコイル１３と積層方向Ｘで隣接する金属層２１との距離ｄ１、第３のコイル１５と積層方向Ｘで隣接する金属層２１との距離ｄ２のうち少なくとも１つより大きくするのが好ましい。
【００７７】
第２のコイル１４は、積層方向Ｘで隣接する金属層２１が２つあるため、浮遊容量が大きくなる。したがって、第２のコイル１４と積層方向Ｘで隣接する金属層２１との間の距離Ｄを大きくすることによって浮遊容量を小さくし、２つのコイル間の差動出力信号の特性インピーダンスの上昇を抑えるようにしている。
【００７８】
なお、金属層２１が積層方向Ｘから見て、第１のコイル１３、第２のコイル１４、第３のコイル１５の一部しか覆わないようにしてもよい。
【００７９】
この覆われていない部分で第１〜第３のコイル１３〜１５同士の磁気結合が生じるため、コモンモードノイズに対してインピーダンス値が高くなる。また、金属層２１に覆われていない部分の面積を調整するだけで、コモンモードノイズインピーダンス値を容易に調整できる。
【００８０】
なお、第１のコイル１３と並列接続された他の第１のコイル１３を第３のコイル１５の上方に配置してもよい。
【００８１】
また、上記実施の形態１、２では、第１〜第３のコイル１３〜１５がそれぞれ１個のものについて説明したが、第１〜第３のコイル１３〜１５をそれぞれ複数個設けたアレイタイプとしてもよいし、他の第１〜第３のコイル１３〜１５をさらに積層してもよい。
【００８２】
そして、複数の絶縁体層１１ａ〜１１ｈを、すべて非磁性材料で構成してもよい。
【産業上の利用可能性】
【００８３】
本発明に係るコモンモードノイズフィルタは、ｍｉｐｉのＣ−ＰＨＹ規格のＬｏｗＰｏｗｅｒモード時の不要なスパイク電圧を小さくすることができるという効果を有するものであり、特にデジタル機器やＡＶ機器、情報通信端末等に使用される小形で薄型のコモンモードノイズフィルタ等において有用となるものである。
【符号の説明】
【００８４】
１１ａ〜１１ｅ  第１〜第５の絶縁体層
１２  積層体
１３  第１のコイル
１３ａ  第１のコイル導体
１３ｂ  第２のコイル導体
１４  第２のコイル
１４ａ  第３のコイル導体
１４ｂ  第４のコイル導体
１５  第３のコイル
１５ａ  第５のコイル導体
１５ｂ  第６のコイル導体
【図１】
2020136578.tif 000003
【図２】
2020136578.tif 000004
【図３】
2020136578.tif 000005
【図４】
2020136578.tif 000006
【図５】
2020136578.tif 000007
【図６】
2020136578.tif 000008
【図７】
2020136578.tif 000009
【図８】
2020136578.tif 000010
【図９】
2020136578.tif 000011